(57)【要約】【課題】手に装着した状態で、マッサージ用の押圧突起によるマッサージと、指先による施術とを、同時に且つ容易に行なうことのできるマッサージ具を提供すること。【解決手段】本発明のマッサージ具１は、縦長の基板２１及び基板２１の下面２１ＤからＺ方向下方に突出する押圧突起２２を有するマッサージ本体２と、指を係止してマッサージ本体２を掌に固定する装着支持部３とを備える。基板２１は、そのＸ方向又はそのＹ方向に沿って縦断面視して、Ｚ方向上方に凸に湾曲している。装着支持部３は、基板２１のＸ方向の中央部にて基板２１の上面２１Ｕから隆起して形成されている。マッサージ具１は、装着支持部３に指を係止した際に、指の第１関節が基板２１の端部から下方にくるように、係止された指が配されるようになっている。【選択図】図１
2015002817.tif 000002
【特許請求の範囲】
【請求項１】
縦長の基板と該基板の下面から下方に突出する複数の押圧突起とを有するマッサージ本体と、指を係止して該マッサージ本体を掌に固定する装着支持部とを備えるマッサージ具であって、
前記基板は、その短手方向又はその長手方向に沿って縦断面視して、上方に凸に湾曲しており、
前記装着支持部は、前記基板の短手方向の中央部にて該基板の上面から隆起して形成されており、
前記装着支持部に指を係止した際に、該指の第１関節が前記基板の端部から下方にくるように、係止された該指が配されるマッサージ具。
【請求項２】
前記基板は柔軟な弾性材料からなる請求項１に記載のマッサージ具。
【請求項３】
前記柔軟な弾性材料がエラストマー樹脂である請求項２に記載のマッサージ具。
【請求項４】
前記基板は、その短手方向の幅が、掌に収まるか、又は略収まる大きさを備えている請求項１〜３の何れか１項に記載のマッサージ具。
【請求項５】
前記基板の短手方向の幅が、４０ｍｍ〜８０ｍｍ程度である請求項４に記載のマッサージ具。
【請求項６】
前記基板は、その短手方向及びその長手方向に沿って縦断面視して、上方に凸に湾曲している請求項１〜５の何れか１項に記載のマッサージ具。
【請求項７】
前記押圧突起は、前記基板の短手方向の両端部それぞれに沿って配置された周縁部押圧突起と、該基板の短手方向の中央部分に長手方向に沿って配置された中央部押圧突起とを有している１〜６の何れか１項に記載のマッサージ具。
【請求項８】
請求項１に記載のマッサージ具を手に装着して使用する、マッサージ具の使用方法であって、
下記の工程を含むマッサージ具の使用方法。
（ａ）塗布剤を身体に塗布する工程
（ｂ）手に前記マッサージ具を装着する工程
（ｃ）前記基板を掌で身体に向けて押圧とその解除を繰り返すマッサージ工程
【請求項９】
請求項１に記載のマッサージ具を手に装着して使用する、マッサージ具の使用方法であって、
下記の工程を含むマッサージ具の使用方法。
（ａ）塗布剤を身体に塗布する工程
（ｂ）手に前記マッサージ具を装着する工程
（ｄ）前記基板を掌で身体に向けて押圧しながら身体表面に沿って移動させるマッサージ工程
【請求項１０】
請求項１に記載のマッサージ具を手に装着して使用する、マッサージ具の使用方法であって、
下記の工程を含むマッサージ具の使用方法。
（ａ）塗布剤を身体に塗布する工程
（ｂ）手に前記マッサージ具を装着する工程
（ｅ）当該マッサージ具の押圧突起を身体に叩くように接触させるマッサージ工程
【請求項１１】
前記マッサージ工程と同時に、指で頭部のマッサージ又は洗髪を行う、請求項８〜１０のいずれか１項に記載のマッサージ具の使用方法。
【請求項１２】
請求項１に記載のマッサージ具を両手に装着して使用する、マッサージ具セットの使用方法であって、
下記の工程を含むマッサージ具セットの使用方法。
（ア）塗布剤を身体に塗布する工程
（イ）両手に前記各々のマッサージ具を装着する工程
（ウ）前記基板を掌で身体に向けて押圧とその解除を繰り返すマッサージ工程
【請求項１３】
請求項１に記載のマッサージ具を両手に装着して使用する、マッサージ具セットの使用方法であって、
下記の工程を含むマッサージ具セットの使用方法。
（ア）塗布剤を身体に塗布する工程
（イ）両手に前記各々のマッサージ具を装着する工程
（エ）前記基板を掌で身体に向けて押圧しながら身体表面に沿って移動させるマッサージ工程
【請求項１４】
請求項１に記載のマッサージ具を両手に装着して使用する、マッサージ具セットの使用方法であって、
下記の工程を含むマッサージ具セットの使用方法。
（ア）塗布剤を身体に塗布する工程
（イ）両手に前記各々のマッサージ具を装着する工程
（オ）当該マッサージ具の押圧突起を身体に叩くように接触させるマッサージ工程
【請求項１５】
前記マッサージ工程と同時に、指で頭部のマッサージ又は洗髪を行う、請求項１２〜１４のいずれか１項に記載のマッサージ具セットの使用方法。
【請求項１６】
前記マッサージ工程において、各々のマッサージ具を身体の両側から身体に接触させてマッサージを行う、請求項１２〜１５のいずれか１項に記載のマッサージ具セットの使用方法。
【発明の詳細な説明】
【技術分野】
【０００１】
本発明は、マッサージ具に関し、基板と該基板の下面から下方に突出する複数の押圧突起とを有するマッサージ本体を備えるマッサージ具に関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、揉み解したりすることで、例えば血液の流れを促進して、疲労の回復や予防を図るものである。
【０００３】
また特に、身体の頭部には、多くのツボが存在していることから、頭皮をマッサージすることで、疲労した脳や目に刺激を与えて、疲労を回復させたりリラックス感を与えたりすることが可能になる。
【０００４】
頭皮や、身体のその他の部位に対するマッサージは、指先で行われることが多いが、例えば整髪や洗髪を行う際に、これらの整髪や洗髪と同時に頭部へのマッサージ効果を得ることが可能なヘアブラシ等が知られている（例えば、特許文献１、特許文献２、特許文献３参照）。特許文献１のヘアブラシは、把持片を備える曲面状に湾曲する扁平な椀状の基板の下面に、多数のブラシ突起を突設させたものである。特許文献２の洗浄用ブラシは、くし状突起を片面側に一様に並立させた掌大の大きさの可撓性を有する合成樹脂製板の周縁部分に沿って、半円状の輪郭部切り裂きを設けることで、この輪郭部切り裂きに指を通して掌に装着できるようにすると共に、くし状突起を避けた位置に、周縁部分には達しない長さの屈折用切り裂きを複数条平行に設けることで、合成樹脂製板を変形し易くしたものである。特許文献３の頭皮頭髪用ブラシは、ブラシ台の表面にブリッスルが設けられ、裏面には指掛けバンドが設けられたブラシ部を有し、使用する際に指を指掛けバンドの中を通して指の腹をブラシ台に接触させるものである。
【先行技術文献】
【特許文献】
【０００５】
【特許文献１】実開昭５５−２７４２２号公報
【特許文献２】実開昭６０−２２９３２号公報
【特許文献３】特開２００９−１８９６４０号公報
【発明の概要】
【発明が解決しようとする課題】
【０００６】
しかしながら、特許文献１、特許文献２及び特許文献３のヘアブラシ等は、ブラシ突起又はくし状突起の先端を、頭皮やその他の部位に押し付けたり擦り付けたりすることで、これらのブラシによってマッサージを行いながら整髪や洗髪を行うことは可能であるが、これらを手に装着した状態では、特に人差し指、中指、及び薬指の指先を頭皮等に接触させた状態で自由に動かすことはできない。そのため、例えばマッサージ用の押圧突起で頭皮やその他の部位をマッサージしながら、これと同時に指先でも洗髪やマッサージを行うが如く、マッサージ用の押圧突起によるマッサージと、指先による施術とを、同時に行えるようにすることは困難である。特に特許文献２の洗浄用ブラシや特許文献３の頭皮頭髪用ブラシは、輪郭部切り裂きや指掛けバンドに指を通して使用するため、手の大きさの大小により、ブラシの操作がし難くなる場合がある。またマッサージ用の押圧突起によるマッサージと、指先による施術とを、同時に行えるようにすることで、マッサージ具の利便性が効果的に向上するものと考えられる。
【０００７】
本発明は、手に装着した時に、指先を頭皮等に接触させた状態で自由に動かせるようにすることで、マッサージ用の押圧突起によるマッサージと、指先による施術とを、同時に且つ容易に行なうことのできるマッサージ具を提供することを目的とする。
【課題を解決するための手段】
【０００８】
本発明は、縦長の基板と該基板の下面から下方に突出する複数の押圧突起とを有するマッサージ本体と、指を係止して該マッサージ本体を掌に固定する装着支持部とを備えるマッサージ具であって、前記基板は、その短手方向又はその長手方向に沿って縦断面視して、上方に凸に湾曲しており、前記装着支持部は、前記基板の短手方向の中央部にて該基板の上面から隆起して形成されており、前記装着支持部に指を係止した際に、該指の第１関節が前記基板の端部から下方にくるように、係止された該指が配されるマッサージ具を提供するものである。
【発明の効果】
【０００９】
本発明のマッサージ具によれば、手に装着した時に、指先を頭皮等に接触させた状態で自由に動かすことができ、マッサージ用の押圧突起によるマッサージと、指先による施術とを、同時に且つ容易に行なうことができる。
【００１０】
なお、本願明細書、特許請求の範囲において、「からなる」は、他の部材が付加されることを排除する意味ではなく、適宜他の部材が付加されても良い。
【００１１】
また、本発明のマッサージ具は、治療目的に使用されるものではない。
【図面の簡単な説明】
【００１２】
【図１】図１は本発明の好ましい一実施形態に係るマッサージ具を斜め上方から見た斜視図である。
【図２】図２（ａ）は図１に示すマッサージ具を斜め下方から見た斜視図であり、図２（ｂ）は該マッサージ具を下方から平面視した下面図である。
【図３】図３（ａ）は図１に示すマッサージ具の長手方向に延びる中心線に沿って側面視した側面図であり、図３（ｂ）は図１に示すマッサージ具の短手方向に延びる中心線に沿って正面視した正面図であり、図３（ｃ）は図１に示すマッサージ具の短手方向に延びる中心線に沿って縦断面視した断面図である。
【図４】図４（ａ）は図１に示すマッサージ具の備える周縁部押圧突起の正面図であり、図４（ｂ）は該周縁部押圧突起の上面図である。
【図５】図５は図１に示すマッサージ具の備える中央部押圧突起の斜視図である。
【図６】図６（ａ）は図１に示すマッサージ具の備える中央部押圧突起の正面図であり、図６（ｂ）は該中央部押圧突起の上面図である。
【図７】図７（ａ）は図１に示すマッサージ具を手に装着した状態を斜め上方から見た斜視図であり、図７（ｂ）は該マッサージ具を手に装着した状態を斜め下方から見た斜視図である。
【図８】図８（ａ），（ｂ）は、本発明の好ましい一実施形態に係るマッサージ具の使用状態の説明図である。
【図９】図９（ａ），（ｂ）は、基板を掌で押圧した際の、各押圧突起の弾性変形によるマッサージの様子を説明する略示断面図である。
【図１０】本発明の好ましい他の実施形態に係るマッサージ具の備える装着支持部の斜視図である。
【図１１】本発明の好ましい他の実施形態に係るマッサージ具の備える装着支持部の斜視図である。
【図１２】本発明の好ましい他の実施形態に係るマッサージ具の備える装着支持部の斜視図である。
【図１３】本発明の好ましい他の実施形態に係るマッサージ具の備える装着支持部の斜視図である。
【発明を実施するための形態】
【００１３】
以下、本発明のマッサージ具を、その好ましい一実施形態に基づき、図１〜図９を参照しながら説明する。
本発明の好ましい一実施形態に係るマッサージ具１（以下、「本実施形態」ともいう。）は、例えば洗髪をする際に（図８（ａ），（ｂ）参照）、手に装着した状態で、頭皮のマッサージを行いながら、好ましくは５本の指の指先を自由に動かして、毛髪や頭皮を、通常の洗髪と同様の、指先による施術によって効率良く洗うことができるようにするものである。
【００１４】
本実施形態のマッサージ具１は、図１に示すように、好ましくは柔軟な弾性材料からなる縦長の基板２１と基板２１の下面２１Ｄから下方に突出する複数の押圧突起２２とを有するマッサージ本体２と、指を係止して該マッサージ本体２を掌に固定する装着支持部３とを備えている。
以下の説明においては、図１に示すように、マッサージ具１の長手方向をＹ方向、マッサージ具１を装着支持部３側から平面視した際の長手方向に直交する短手方向である幅方向をＸ方向、長手方向（Ｙ方向）及び短手方向（Ｘ方向）からなる面方向に直交する垂直方向である上下方向をＺ方向として説明する。尚、マッサージ具１のＹ方向、Ｘ方向及びＺ方向は、それぞれ、マッサージ本体２の基板２１のＹ方向、Ｘ方向及びＺ方向と同じ方向である。
【００１５】
本実施形態のマッサージ具１は、柔軟な弾性材料として、例えばスチレン系、ポリエステル系、オレフィン系、ウレタン系等のエラストマー樹脂やゴム等を用いて、好ましくはマッサージ本体２を構成する基板２１及び複数の押圧突起２２と、装着支持部３とを一体成形することにより形成されている。これによって基板２１は、柔軟な弾性材料からなる。基板２１が柔軟な弾性材料からなっていることにより、後述するように、該基板２１を頭皮に沿わせるように容易に撓ませながら、複数の押圧突起２２によって効率良く頭皮を押圧させることが可能になる。
【００１６】
ここで、基板２１を形成する柔軟な弾性材料は、手の握力等によって容易に弾性変形できる程度の弾力性を備える弾性材料であり、例えば５Ｍｐａ以上５０Ｍｐａ以下程度の弾力性を備える弾性材料である。また、柔軟な弾性材料は、効率良く頭皮をマッサージする観点から、１０Ｍｐａ以上、更に１３Ｍｐａ、特に１５Ｍｐａ以上の弾力性を備えていることが好ましく、そして、４０Ｍｐａ以下、更に３５Ｍｐａ以下、特に３０Ｍｐａ以下の弾力性を備えていることが好ましく、より具体的には、１０Ｍｐａ以上４０Ｍｐａ以下の弾力性を備えていることが好ましく、１３Ｍｐａ以上３５Ｍｐａ以下の弾力性を備えていることが更に好ましく、１５Ｍｐａ以上３０Ｍｐａ以下の弾力性を備えていることが特に好ましい。
【００１７】
マッサージ本体２を構成する基板２１は、図２（ｂ）に示すように平面視して、Ｙ方向に長い縦長の形状であれば、特に制限されず、矩形状、楕円形状、陸上用トラックのようなトラック円形状等の種々の形状とすることができる。本実施形態では、基板２１は、図２（ａ），（ｂ）に示すように、四隅が面取りされて丸みを帯びた矩形状に形成されている。
【００１８】
本実施形態のマッサージ具１では、基板２１は、その短手方向（Ｘ方向）の幅が、掌に収まるか、又は略収まる大きさを備えており、具体的には、Ｘ方向の幅が、４０ｍｍ〜８０ｍｍ程度に形成されている。また、本実施形態では、基板２１は、その長手方向（Ｙ方向）の長さが、８０ｍｍ〜１２０ｍｍ程度に形成されている。また、本実施形態では、基板２１の厚み（Ｚ方向の幅）が、２ｍｍ〜６ｍｍ程度に形成されている。
【００１９】
基板２１は、その短手方向（Ｘ方向）又はその長手方向（Ｙ方向）に沿って垂直方向（Ｚ方向）に縦断面視して、上方に凸に湾曲しており、本実施形態では、図３（ａ）〜（ｃ）に示すように、その短手方向（Ｘ方向）のみならず、その長手方向（Ｙ方向）に沿っても、垂直方向（Ｚ方向）に縦断面視して、上方に凸に湾曲している。具体的に、本実施形態では、基板２１は、その短手方向（Ｘ方向）に縦断面視して、３０ｍｍ〜３００ｍｍ程度の曲率半径で上方に湾曲しており、その長手方向（Ｙ方向）に縦断面視して、７０ｍｍ〜３００ｍｍ程度の曲率半径で上方に湾曲している。このような範囲に湾曲していることによって、マッサージ具１は、Ｚ方向上方に凸のドーム形状となっており、手に装着した際に、基板２１の上面２１Ｕを掌にフィットさせ易く、掌の動きを当該基板２１や複数の押圧突起２２に効率良く伝達させることができる。また後述のように、柔軟な弾性材料で形成された基板２１を、掌で身体の頭部等に向けて力を加えたり弱めたりするだけで、基板２１と押圧突起２２が弾性変形し、頭皮等に対して揉捏法（身体を揉むマッサージ方法）によるマッサージや圧迫法（身体を押すマッサージ方法）によるマッサージを施すことが可能になる。
【００２０】
マッサージ本体２を構成する複数の押圧突起２２は、図２（ａ）に示すように、基板２１の下面２１ＤからＺ方向下方に突出して形成されており、本実施形態では、周縁部押圧突起２２１と、中央部押圧突起２２２とを有している。
【００２１】
周縁部押圧突起２２１は、主として頭皮を刺激する機能を備える突起であって、本実施形態では、図２（ａ），（ｂ）に示すように、基板２１のＸ方向の両端部（Ｙ方向に沿う両側部と同じ）に沿って、それぞれ、Ｙ方向に所定の等ピッチで複数配置されている。周縁部押圧突起２２１は、基板２１のＸ方向の一端部（Ｙ方向に沿う一側部と同じ）につき、例えば５本〜１０本程度設けることが好ましく、本実施形態では７本設けられている。前記ピッチは、１０ｍｍ〜２０ｍｍ程度である。各周縁部押圧突起２２１は、円錐形状を備えると共に、その先端が面取りされて、Ｚ方向の下方に凸の球状に形成されている。
【００２２】
各周縁部押圧突起２２１は、図４（ａ）に示すように、基板２１の下面２１ＤからのＺ方向の長さｈ１が、６ｍｍ〜１２ｍｍ程度である。各周縁部押圧突起２２１は、図４（ａ），（ｂ）に示すように、半球状の先端部位の直径Ｌ２が、根元部における直径Ｌ１より小さいことが好ましく、具体的には、前記直径Ｌ２が前記直径Ｌ１の好ましくは２５％以上９５％以下、更に好ましくは５０％以上７５％以下である。
【００２３】
図５に示す中央部押圧突起２２２は、主として毛根やツボなどを刺激する機能を備える突起であって、本実施形態では、図２（ａ），（ｂ）に示すように、基板２１のＸ方向の中央部分に、言い換えれば、Ｘ方向に隣り合う周縁部押圧突起２２１，２２１の間の中央部分に、Ｙ方向に沿って、所定の等ピッチで複数配置されている。中央部押圧突起２２２は、例えば２本〜１５本程度設けることが好ましく、本実施形態では１１本設けられている。
【００２４】
各中央部押圧突起２２２は、本実施形態では、図６（ａ）に示すように、基板２１の下面２１ＤからのＺ方向の長さｈ２が、上述した周縁部押圧突起２２１の長さｈ１よりも短く、５ｍｍ〜１１ｍｍ程度である。各中央部押圧突起２２２は、図６（ａ）に示すように、先端部位（本実施形態では後述する円錐台状の基部２２２ａの先端面）の直径Ｌ４が、根元部における直径Ｌ３より小さいことが好ましく、具体的には、前記直径Ｌ４が前記直径Ｌ３の好ましくは３０％以上９０％以下、更に好ましくは４０％以上６０％以下である。
尚、中央部押圧突起２２２は、根元部分及びＺ方向中央部分等における水平方向の横断面の面積が、上述した周縁部押圧突起２２１の水平方向の横断面の面積よりも大きくなっており、周縁部押圧突起２２１よりも曲がり難く形成されている。
【００２５】
各中央部押圧突起２２２は、本実施形態では、図５及び図６（ａ），（ｂ）に示すように、円錐台状の基部２２２ａ、並びに基部２２２ａの先端面に設けられた１個の第１先端突起２２２ｂ及び複数の第２先端突起２２２ｃからなる。第１先端突起２２２ｂは、基部２２２ａの先端面からＺ方向の下方に凸の半球状をなし、基部２２２ａの先端面の中央部に配置されている。一方、第２先端突起２２２ｃは、基部２２２ａの先端面からＺ方向の下方に凸の略半球状をなすが、より詳細には、根元部が円柱状をなし、先端が半球状の凸曲面に形成されている。また、第２先端突起２２２ｃは、第１先端突起２２２ｂの外周を囲むように、略等間隔に複数形成されている。第１先端突起２２２ｂの外囲を囲む第２先端突起２２２ｃの数は、例えば好ましくは３個〜１０個程度、更に好ましくは４個〜１０個、特に好ましくは５個〜８個であり、本実施形態では６個設けられている。特に３個以上の第２先端突起２２２ｃを、中央部の第１先端突起２２２ｂを囲むように設けることで、マッサージ具１を使用する際の当該マッサージ具１の移動方向によらずに、頭皮を効率良く且つ効果的にマッサージすることが可能になる。
【００２６】
本実施形態では、第２先端突起２２２ｃは、図６（ｂ）に示すように、根元部の太さｄ２が、第１先端突起２２２ｂの根元部の太さｄ１よりも小さくなっており、具体的には、前記太さｄ２が前記太さｄ１の好ましくは５０％以上９０％以下、更に好ましくは６０％以上７０％以下である。先端突起２２２ｂ，２２２ｃの太さｄ１，ｄ２は、根元部における横断面形状が円形の場合はその直径を、円形以外の場合は横断面２次半径の２倍を意味する。尚、第１先端突起２２２ｂの根元部の太さｄ１は、上述した基部２２２ａの先端面の直径Ｌ４の好ましくは３０％以上６０％以下、更に好ましくは４０％以上５０％以下である。
第２先端突起２２２ｃは、第１先端突起２２２ｂの周囲に、互いに隣接する第２先端突起２２２ｃ，２２２ｃ同士間の根元部における間隔Ｓ３を０．３ｍｍ〜２ｍｍ程度、頂部における間隔Ｓ４を１ｍｍ〜３ｍｍ程度に配置されていることが好ましい。
【００２７】
本実施形態では、図６（ａ）に示すように、第１先端突起２２２ｂと第２先端突起２２２ｃとは、基部２２２ａの先端面からの突出高さｈ３が同じに形成されている。
第１先端突起２２２ｂは、基部２２２ａの先端面からの突出高さｈ３と、根元部における太さ（直径）ｄ１との比（ｈ３／ｄ１）が０．３〜０．８５となっていることが好ましく、０．５〜０．７５となっていることが更に好ましい。また、第２先端突起２２２ｃは、基部２２２ａの先端面からの突出高さｈ３と、根元部における太さ（直径）ｄ２との比（ｈ３／ｄ２）が０．５〜２となっていることが好ましく、０．７〜１．５となっていることが更に好ましい。
【００２８】
マッサージ具１の備える、指を係止して該マッサージ本体２を掌に固定する装着支持部３は、図１及び図２（ａ）に示すように、基板２１の短手方向（Ｘ方向）の中央部にて基板２１の上面２１ＵからＺ方向上方に隆起して形成されている。本実施形態では、マッサージ具１の装着支持部３は、基板２１の短手方向（Ｘ方向）の中央部にて長手方向（Ｙ方向）に沿って延在している。言い換えれば、マッサージ具１の装着支持部３は、Ｘ方向においては、押圧突起２２の中央部押圧突起２２２と同じ位置に配置され、Ｙ方向においては、複数配置された中央部押圧突起２２２に沿って配置されている。本実施形態では、装着支持部３は、基板２１のＸ方向の中央部にてＹ方向に沿って上面２１Ｕから板状に隆起する隆起板部３１と、隆起板部３１をＸ方向に貫通しており、指を挿入して係止する開口穴部３２とを有している。本実施形態では、開口穴部３２は、図７（ａ），（ｂ）に示すように、好ましくは人差し指、中指、及び薬指を挿入して係止するように、Ｙ方向に間欠的に並んで３個形成されている。開口穴部３２における基板２１の上面２１Ｕ側に凹んだ内周部分が、好ましくは、図１及び図３（ａ）に示すように、人差し指や中指や薬指の内側部分を接触係止する凹状指係止部３２１となる。
なお、本願明細書で中央部とは、基板２１の上方から平面視して、Ｘ方向の中心を含む部分を指す。
【００２９】
具体的には、装着支持部３の隆起板部３１は、その長手方向（Ｙ方向）の長さが、例えば基板２１の長手方向（Ｙ方向）の長さよりも短い７０ｍｍ〜１００ｍｍ程度の長さで且つその厚み（Ｘ方向の長さと同じ）が例えば２ｍｍ〜６ｍｍ程度の厚みで、上面２１ＵからＺ方向上方に例えば２０ｍｍ〜５０ｍｍ程度に隆起して設けられている。
装着支持部３の３個の開口穴部３２は、例えば１８ｍｍ〜３５ｍｍ程度の内径で形成されている。
【００３０】
各開口穴部３２の形状は、指を挿入し易くする観点等から、図３（ａ）に示すように側面視して、Ｙ方向に縦長な長穴形状が好ましい。ここで長穴形状とは、楕円形状や、陸上用トラックのようなトラック円形状等を含むものとする。長穴形状の各寸法は、例えば日本人の成人男性（２０〜６９歳）の中指の第２関節付近の幅の平均的な値（２０ｍｍ）、同位置の平均的な厚みの値（２０．２ｍｍ）を使用した場合、当該開口穴部３２への指の挿入し易さの観点、使用時に指先を自由に動かせることができる観点、指位置を穴に固定し易くする観点から、長穴形状の長軸径を２４ｍｍ〜３２ｍｍ、長穴形状の短軸径を２３ｍｍ〜２５ｍｍ程度にすることが好ましい。
【００３１】
以上の構成を有するマッサージ具１は、図７（ａ），（ｂ）に示すように、装着支持部３に指を係止した際に、該指の第１関節（指先側の最初の関節）が基板２１の端部（基板２１の外周縁部）から下方にくるように、係止された該指が配されるようになる。具体的に説明すると、マッサージ本体２の基板２１の上面２１Ｕを掌に沿わせてマッサージ具１を手に装着する際、本実施形態のマッサージ具１では、例えば３個の開口穴部３２の内の真ん中の開口穴部３２の凹状指係止部３２１に、挿入した中指の根元部の内側部分を押し付け、該中指における第１関節よりも指股部側の第１関節近傍の内側部分（指腹部分）を、基板２１のＸ方向の一方の端部（基板２１のＹ方向に沿う一方の側部）に沿って軽く食い込ませるように接触させることにより、中指を基板２１に容易に係止でき、中指の第１関節よりも先端部分が基板２１のＸ方向の一方の端部よりもＺ方向下方に言い換えるとマッサージされる体表面に近い側に配される。
【００３２】
また、例えば中央部分の開口穴部３２を挟んだ両側の開口穴部３２の凹状指係止部３２１に、挿入した人差し指及び薬指それぞれの根元部の内側部分を押し付け、該人差し指及び薬指それぞれにおける第１関節よりも指股部側の第１関節近傍の内側部分（指腹部分）を、基板２１のＸ方向の一方の端部（基板２１のＹ方向に沿う一方の側部）に沿って軽く食い込ませるように接触させることにより、人差し指及び薬指を基板２１に容易に係止でき、人差し指及び薬指それぞれの第１関節よりも先端部分が基板２１のＸ方向の一方の端部よりもＺ方向下方に配される。さらに、マッサージ具１では、例えば図７（ａ），（ｂ）に示すように、子指を内側に折り曲げて、子指における第１関節よりも指股部側の第１関節近傍の内側部分（指腹部分）を、基板２１のＸ方向の一方の端部（基板２１のＹ方向に沿う一方の側部）に沿って軽く食い込ませるように接触させることにより、子指を基板２１に容易に係止でき、子指の第１関節よりも先端部分が基板２１のＸ方向の一方の端部よりもＺ方向下方に配されるようにしてもよい。さらにまた、例えば図７（ａ），（ｂ）に示すように、親指を内側に折り曲げて、親指における第１関節よりも指股部側の第１関節近傍の内側部分（指腹部分）を、基板２１のＸ方向の他方の端部（基板２１のＹ方向に沿う他方の側部）に沿って軽く食い込ませるように接触させることにより、親指を基板２１に容易に係止でき、親指の第１関節よりも先端部分が基板２１のＸ方向の他方の端部よりもＺ方向下方に配されるようにしてもよい。
【００３３】
以上のようにして、マッサージ具１は、基板２１の上面２１Ｕを掌に沿って配置されると共に、各々の指（中指、人差し指及び薬指）が凹状指係止部３２１に係止され、係止された各々の指（中指、人差し指及び薬指）の第１関節が基板２１の端部（基板２１の外周縁部）から下方にくるように配置される。従って、マッサージ具１は、軽い僅かな力によって、安定した状態で、左右の手に容易に装着させることが可能になる。
【００３４】
上述した本発明の一実施形態のマッサージ具１の使用方法及び使用した際の作用効果について説明する。
先ず、本実施形態のマッサージ具１を手に装着して使用するマッサージ具１の使用方法について説明すると、本実施形態のマッサージ具１の使用方法は、（ａ）塗布剤を身体に塗布する工程、（ｂ）手に前記マッサージ具を装着する工程、及び（ｃ）前記基板を掌で身体に向けて押圧とその解除を繰り返すマッサージ工程を含んでいる。また、本実施形態のマッサージ具１の使用方法は、前記（ｃ）の代わりに、或いは、前記（ａ）〜（ｃ）に加えて、（ｄ）前記基板を掌で身体に向けて押圧しながら身体表面に沿って移動させるマッサージ工程を含んでいてもよい。また、本実施形態のマッサージ具１の使用方法は、前記（ｃ）の代わりに、或いは、前記（ａ）〜（ｃ）に加えて、（ｅ）当該マッサージ具の押圧突起を身体に叩くように接触させるマッサージ工程を含んでいてもよい。更に、前記（ｃ），（ｄ），（ｅ）のマッサージ工程と同時に、指で頭部のマッサージ又は洗髪を行うようにマッサージ具１を使用してもよい。
【００３５】
次に、本実施形態のマッサージ具１を両手に装着して使用するマッサージ具セットの使用方法について説明すると、マッサージ具セットの使用方法は、（ア）塗布剤を身体に塗布する工程、（イ）両手に前記各々のマッサージ具を装着する工程、及び（ウ）前記基板を掌で身体に向けて押圧とその解除を繰り返すマッサージ工程を含んでいる。また、前記マッサージ具セットの使用方法は、前記（ウ）の代わりに、或いは、前記（ア）〜（ウ）に加えて、（エ）前記基板を掌で身体に向けて押圧しながら身体表面に沿って移動させるマッサージ工程を含んでいてもよい。また、前記マッサージ具セットの使用方法は、前記（ウ）の代わりに、或いは、前記（ア）〜（ウ）に加えて、（オ）当該マッサージ具の押圧突起を身体に叩くように接触させるマッサージ工程を含んでいてもよい。更に、前記（ウ），（エ），（オ）のマッサージ工程と同時に、指で頭部のマッサージ又は洗髪を行うようにマッサージ具セットを使用してもよい。さらにまた、前記（ウ），（エ），（オ）のマッサージ工程において、各々のマッサージ具１を身体の両側から身体に接触させてマッサージを行うようにマッサージ具セットを使用してもよい。
以下、図面を参照しながら、本実施形態のマッサージ具１を両手に装着して使用するマッサージ具セットの使用方法について詳述する。
【００３６】
本実施形態のマッサージ具１を用いて、頭皮のマッサージを行いながら洗髪するには、好ましくは左右両方の手に、一対のマッサージ具１，１をマッサージ具セットとして各々装着して行う（図８（ａ），（ｂ）参照）。
具体的に洗髪をする際には、例えば、先ず、シャンプー剤等の洗浄剤又はマッサージ剤等（以下、塗布剤とする）を頭髪に塗布して、マッサージ具１を装着していない手で頭皮と髪全体を仮洗いする。次に、図８（ａ），（ｂ）に示すように、上述のように両手に各々のマッサージ具１（マッサージ具セット）を装着することにより、基板２１の端部（基板２１の外周縁部）よりもＺ方向下方に配された、好ましくは５本の指の指先を自由に動かして、通常の洗髪と同様の洗髪及びマッサージなどの施術を行うことができる。また、施術を行うと同時に、マッサージ本体２の基板２１の下面２１ＤからＺ方向下方に突出する複数の押圧突起２２によってマッサージを容易に行うことができる。
【００３７】
一般的に、人体の全身には数百箇所の経穴（ツボ）があり、特に頭部には、直線的に並んで経穴（ツボ）が配されていることが知られている。本実施形態のマッサージ具１は、Ｙ方向に長い縦長の基板２１を有するマッサージ本体２と、Ｙ方向に沿って配された周縁部押圧突起２２１及び中央部押圧突起２２２を有する押圧突起２２とを備えているので、図８（ａ），（ｂ）に示すように使用すると、頭部の経穴（ツボ）を効率的に押すことができ、効率的にマッサージすることができる。
【００３８】
また、マッサージ具１は、図３（ａ），（ｂ）に示すように垂直方向に縦断面視して、柔軟な弾性部材からなる基板２１の短手方向（Ｘ方向）又は長手方向（Ｙ方向）が、上方に凸に湾曲しているので、図９（ａ），（ｂ）に示すように、心地良い刺激を感じるくらいの強さまで基板２１を掌で押圧した後、押圧を解除する動作を繰り返しながら、頭の全体に行き渡るように、マッサージ本体２によって頭皮をマッサージ（圧迫法マッサージ、揉捏法マッサージ等）することが可能になる。特に、本実施形態のマッサージ具１は、基板２１の短手方向（Ｘ方向）のみならず長手方向（Ｙ方向）も上方に凸に湾曲してドーム形状となっているので、持ち手の角度を気にすることなく、頭皮をマッサージ（圧迫法マッサージ、揉捏法マッサージ等）することが可能になる。
【００３９】
また、マッサージ具１は、図２（ａ），（ｂ）に示すように、押圧突起２２が、周縁部押圧突起２２１と中央部押圧突起２２２とを有しているので、例えば、身体の頭部の左右両側から、図９（ａ），（ｂ）に示すように、各々のマッサージ具１の周縁部押圧突起２２１及び中央部押圧突起２２２を頭皮に当てたまま、心地良い刺激を感じるくらいの強さまで基板２１を掌で押圧した後、押圧を解除する動作を繰り返しながら、頭の全体に行き渡るように、頭皮をマッサージ（圧迫法マッサージ、揉捏法マッサージ等）することが可能になる。また、例えば、周縁部押圧突起２２１よりも短い中央部押圧突起２２２が頭皮で感じられるくらいの強さまで基板２１を掌で押し込んで、押圧突起２２を頭皮に押し当てながら、マッサージ具１を円を描くように頭部表面に沿って動かすことで、頭の全体をほぐすようにして頭皮をマッサージすることが可能になる（圧迫法マッサージ、強擦法マッサージ、軽擦法マッサージ等）。また、例えばマッサージ具１の押圧突起２２を頭皮に叩くように接触させながら頭の全体に行き渡るようにして、頭皮をマッサージ（打突法マッサージ等）することが可能になる。
【００４０】
頭髪全体に塗布剤を塗布した後に、シャワー等によってすすぐ際には、マッサージ具１を手に装着した状態で、好ましくは５本の指の指先を自由に動かすことができるので、マッサージ具１を手に装着したまま、通常のすすぎと同様に、指先の施術によってすすぎ残しがないように髪全体を充分にすすぐことが可能になると共に、すすぎ中もマッサージ具１によるマッサージを行うことが可能になる。
【００４１】
本発明のマッサージ具は、上述の実施形態のマッサージ具１に何ら制限されるものではなく、適宜変更可能である。
【００４２】
例えば、本実施形態のマッサージ具１は、図３（ａ），（ｂ）に示すように、基板２１の短手方向（Ｘ方向）及び長手方向（Ｙ方向）が、上方に凸に湾曲しているが、基板２１の短手方向（Ｘ方向）及び長手方向（Ｙ方向）の何れか一方が上方に凸に湾曲していればよい。
【００４３】
また、本実施形態のマッサージ具１は、図２（ａ），（ｂ）に示すように、押圧突起２２が、周縁部押圧突起２２１及び中央部押圧突起２２２の２種類の突起を有しているが、１種類の突起のみを有していてもよく、３種類以上の突起を有していてもよい。また、公知の各種の形状や材質の押圧突起を組み合わせて、複数の押圧突起を形成してもよい。
【００４４】
また、本実施形態のマッサージ具１は、図１及び図３（ａ）に示すように、装着支持部３が、基板２１のＸ方向の中央部にてＹ方向に沿って上面２１Ｕから隆起する隆起板部３１と、隆起板部３１をＸ方向に貫通しており、指を挿入して係止する３個の開口穴部３２とを有しているが、装着支持部３は指を係止してマッサージ本体２を掌に固定できる形態であればよい。以下、具体的に例を挙げて説明すると、例えば、図１０に示す装着支持部３Ａは、隆起板部３１に、本実施形態のマッサージ具１における３個の開口穴部３２が１つに繋がった状態の開口穴部３２Ａを設けて形成されている。また、図１１に示す装着支持部３Ｂは、隆起板部３１に、上記実施形態のマッサージ具１の有する開口穴部３２の開口周縁部におけるＺ方向上方側に切込み部３２２を配して該開口周縁部を分断した形状の開口穴部３２Ｂを３個設けて形成されている。このような切込み部３２２を設けると、該切込み部３２２を挟んだ開口穴部３２Ｂの両側部分を弾性変形させながら、該切込み部３２２を介して、Ｚ方向上方側から開口穴部３２Ｂに指を挿入したり、指を抜き出したりすることができるようになり、マッサージ具１の操作性が向上する。また、図１２に示す装着支持部３Ｃは、隆起板部３１に、上記実施形態のマッサージ具１の有する開口穴部３２の開口周縁部におけるＺ方向上方側の略半分を削除した略半円形状の凹状指係止部３２１を３個設けて形成されている。このような略半円形状の凹状指係止部３２１を設けると、Ｚ方向上方側から凹状指係止部３２１に指を係止することができるようになり、マッサージ具１の操作性が向上する。
【００４５】
図１３に示す装着支持部３Ｄは、隆起板部３１に、少なくとも３本の指を挿入可能な大きさを備えるトラック円形状を湾曲させた形状の１個の開口穴部３２Ｄを設けて形成されている。このような開口穴部３２Ｄを設けると、指を挿入し易く、マッサージ具１の操作性が向上する。図１４に示す装着支持部３Ｅは、隆起板部３１に、１本の指を挿入可能な大きさを備える円形状の１個の開口穴部３２Ｅを設けて形成されている。図１５に示す装着支持部３Ｆは、基板２１の短手方向（Ｘ方向）及び長手方向（Ｙ方向）の中央部にて上面２１Ｕに立設するＴ字形状の挟込み把持部３３を有している。Ｔ字形状の挟込み把持部３３は、Ｚ方向上方に隆起してＸ方向に延びる厚板状部分３３ａと、厚板状部分３３ａのＺ方向上方部分がＹ方向の両外方に張り出すつば部３３ｂとからなる。Ｔ字形状の挟込み把持部３３は、厚板状部分３３ａを指と指との間に挟み込んで指を係止するようにして使用される。このような挟込み把持部３３を設けると、厚板状部分３３ａを把持する指の背側を張り出すつば部３３ｂに係止させることで、掌の内側部分を基板２１に押し付ける力を開放しても、マッサージ具１が手から脱落しないように保持することが可能になる。挟込み把持部３３は、Ｚ方向上方に隆起する部分が、厚板状である必要は必ずしも無く、例えば円柱状等その他の種々の形状のものであってもよい。
【００４６】
また、マッサージ本体は柔軟な弾性材料以外にも、ポリエチレン、ポリプロピレン等の合成樹脂材料からなってもよく、基板の大きさは、掌よりも大きくてもよい。
【００４７】
また当然に、本発明のマッサージ具は片手で使用しても良い。
【００４８】
また、本発明のマッサージ具は、洗髪や整髪を行う際に、頭皮にマッサージ本体を押し付けて使用する以外にも、身体の四肢やその他の部位にマッサージ本体を押し付けて、指先を自由に動かして当該指先によるマッサージ等の施術を行いながら、身体の様々な部位に対しても、当該マッサージ具によるマッサージを行うことができる。また、身体に押し付けて使用する圧迫法によるマッサージ以外に、強擦法（身体を擦るマッサージ方法）、揉捏法（身体を揉むマッサージ方法）、軽擦法（身体を撫でるマッサージ方法）、打突法（身体を叩くマッサージ方法）等のマッサージも行うことができる。
【００４９】
上述した実施形態に関し、さらに以下のマッサージ具、マッサージ具の使用方法、及びマッサージ具セットの使用方法を開示する。
＜１＞
縦長の基板と該基板の下面から下方に突出する複数の押圧突起とを有するマッサージ本体と、指を係止して該マッサージ本体を掌に固定する装着支持部とを備えるマッサージ具であって、
前記基板は、その短手方向又はその長手方向に沿って縦断面視して、上方に凸に湾曲しており、
前記装着支持部は、前記基板の短手方向の中央部にて該基板の上面から隆起して形成されており、
前記装着支持部に指を係止した際に、該指の第１関節が前記基板の端部から下方にくるように、係止された該指が配されるマッサージ具。
【００５０】
＜２＞
前記基板は柔軟な弾性材料からなる前記＜１＞に記載のマッサージ具。
＜３＞
前記柔軟な弾性材料がエラストマー樹脂である前記＜２＞に記載のマッサージ具。
＜４＞
前記基板は、その短手方向の幅が、掌に収まるか、又は略収まる大きさを備えている前記＜１＞〜＜３＞のいずれか１に記載のマッサージ具。
＜５＞
前記基板の短手方向の幅が、４０ｍｍ〜８０ｍｍ程度である前記＜４＞に記載のマッサージ具。
＜６＞
前記基板は、その短手方向及びその長手方向に沿って縦断面視して、上方に凸に湾曲している前記＜１＞〜＜５＞のいずれか１に記載のマッサージ具。
＜７＞
前記押圧突起は、前記基板の短手方向の両端部それぞれに沿って配置された周縁部押圧突起と、該基板の短手方向の中央部分に長手方向に沿って配置された中央部押圧突起とを有している前記＜１＞〜＜６＞のいずれか１に記載のマッサージ具。
【００５１】
＜８＞
前記＜１＞に記載のマッサージ具を手に装着して使用する、マッサージ具の使用方法であって、
下記の工程を含むマッサージ具の使用方法。
（ａ）塗布剤を身体に塗布する工程
（ｂ）手に前記マッサージ具を装着する工程
（ｃ）前記基板を掌で身体に向けて押圧とその解除を繰り返すマッサージ工程
＜９＞
前記＜１＞に記載のマッサージ具を手に装着して使用する、マッサージ具の使用方法であって、
下記の工程を含むマッサージ具の使用方法。
（ａ）塗布剤を身体に塗布する工程
（ｂ）手に前記マッサージ具を装着する工程
（ｄ）前記基板を掌で身体に向けて押圧しながら身体表面に沿って移動させるマッサージ工程
＜１０＞
前記＜１＞に記載のマッサージ具を手に装着して使用する、マッサージ具の使用方法であって、
下記の工程を含むマッサージ具の使用方法。
（ａ）塗布剤を身体に塗布する工程
（ｂ）手に前記マッサージ具を装着する工程
（ｅ）当該マッサージ具の押圧突起を身体に叩くように接触させるマッサージ工程
＜１１＞
前記マッサージ工程と同時に、指で頭部のマッサージ又は洗髪を行う、前記＜８＞〜＜１０＞のいずれか１に記載のマッサージ具の使用方法。
【００５２】
＜１２＞
前記＜１＞に記載のマッサージ具を両手に装着して使用する、マッサージ具セットの使用方法であって、
下記の工程を含むマッサージ具セットの使用方法。
（ア）塗布剤を身体に塗布する工程
（イ）両手に前記各々のマッサージ具を装着する工程
（ウ）前記基板を掌で身体に向けて押圧とその解除を繰り返すマッサージ工程
＜１３＞
前記＜１＞に記載のマッサージ具を両手に装着して使用する、マッサージ具セットの使用方法であって、
下記の工程を含むマッサージ具セットの使用方法。
（ア）塗布剤を身体に塗布する工程
（イ）両手に前記各々のマッサージ具を装着する工程
（エ）前記基板を掌で身体に向けて押圧しながら身体表面に沿って移動させるマッサージ工程
＜１４＞
前記＜１＞に記載のマッサージ具を両手に装着して使用する、マッサージ具セットの使用方法であって、
下記の工程を含むマッサージ具セットの使用方法。
（ア）塗布剤を身体に塗布する工程
（イ）両手に前記各々のマッサージ具を装着する工程
（オ）当該マッサージ具の押圧突起を身体に叩くように接触させるマッサージ工程
＜１５＞
前記マッサージ工程と同時に、指で頭部のマッサージ又は洗髪を行う、前記＜１２＞〜＜１４＞のいずれか１に記載のマッサージ具セットの使用方法。
＜１６＞
前記マッサージ工程において、各々のマッサージ具を身体の両側から身体に接触させてマッサージを行う、＜１２＞〜＜１５＞のいずれか１に記載のマッサージ具セットの使用方法。
【符号の説明】
【００５３】
１  マッサージ具
２  マッサージ本体
２１  基板
２１Ｕ  上面
２１Ｄ  下面
２２  押圧突起
２２１  周縁部押圧突起
２２２  中央部押圧突起
３，３Ａ，３Ｂ，３Ｃ，３Ｄ，３Ｅ，３Ｆ  装着支持部
３１  隆起板部
３２，３２Ａ，３２Ｂ，３２Ｃ，３２Ｄ，３２Ｅ  開口穴部
３２１  凹状指係止部
３２２  切込み部
３３  挟込み把持部
３３ａ  厚板状部分
３３ｂ  つば部
【図１】
2015002817.tif 000003
【図２】
2015002817.tif 000004
【図３】
2015002817.tif 000005
【図４】
2015002817.tif 000006
【図５】
2015002817.tif 000007
【図６】
2015002817.tif 000008
【図７】
2015002817.tif 000009
【図８】
2015002817.tif 000010
【図９】
2015002817.tif 000011
【図１０】
2015002817.tif 000012
【図１１】
2015002817.tif 000013
【図１２】
2015002817.tif 000014
【図１３】
2015002817.tif 000015